(57)【要約】【課題】プリント基板に実装した発光素子の有効な発光を実現でき、発光素子を駆動する多数の電子素子を実装できる発光ユニットを提供する。【解決手段】プリント基板１１と、プリント基板１１上に設けられた支持体１２とを備え、支持体１２は、プリント基板１１側と反対向きに発光する発光素子１３を保持する発光素子保持部２２および、プリント基板１１との間に空間を形成する脚部２１を有し、発光素子１３を駆動する駆動回路２０を脚部２１に形成された空間に配置する。【選択図】図３
2007178898.tif 000002
【特許請求の範囲】
【請求項１】
基板と、
前記基板上に設けられた支持体とを備え、
前記支持体は、前記基板側と反対向きに発光する発光素子を保持する発光素子保持部および、前記基板との間に空間を形成する脚部を有することを特徴とする発光ユニット。
【請求項２】
前記支持体が設けられた面の前記支持体の投影面における前記基板上に、電子素子を実装した請求項１記載の発光ユニット。
【請求項３】
前記発光方向における実装高さが前記発光素子より高い第１電子素子を前記基板上に実装した請求項１または２に記載の発光ユニット。
【請求項４】
前記支持体は、前記第１電子素子を保持する第１電子素子保持部を備え、
前記発光素子保持部に保持された前記発光素子の基板面からの高さが、前記第１電子素子の基板面からの高さ以上である請求項３記載の発光ユニット。
【請求項５】
前記第１電子素子は、前記発光素子に発光電圧を供給する電圧供給手段である請求項３〜５のいずれか一項に記載の発光ユニット。
【請求項６】
請求項１〜５のいずれか一項に記載の発光ユニットを備えた電子機器であって、前記発光素子保持部の前記基板上の投影面内に、外部から信号を入出力する端子素子が形成された電子機器。
【発明の詳細な説明】
【技術分野】
【０００１】
本発明は、発光ユニット、特にカメラ等の電子機器に用いられる発光ユニットに関する。
【背景技術】
【０００２】
近年、ビデオカメラであっても静止画も撮影できるビデオカメラが普及している。このようなビデオカメラの一例を、レンズが設けられた面（以下、前面と称す）からの斜視図として図４に示す。ビデオカメラの前面には、フロントケース１１５およびレンズ部１１２が設けられ、フロントケース１１５には発光部１１１、受信部１１３および音声受信部１１４が配置されている。レンズ部１１２は、ビデオカメラ内部に配置された受光部（図示せず）の位置に被写体からの光の焦点を合わせる。
【０００３】
発光部１１１は、暗所において静止画撮影の際に、瞬間的に大光量の光を発する。受信部１１３は、リモートコントローラ（図示せず）から発せされた指令などを受信する。音声受信部１１４は、ビデオ撮影時に音声を受信する。一般に、発光部１１１、レンズ部１１２、受信部１１３および音声受信部１１４は、被写体との位置関係からビデオカメラの前面に設けられる。また、ビデオカメラの側面後部には、撮影データの入出力端子あるいは音声出力端子を有する端子部１１６が設けられている。
【０００４】
図５は、図４に示すビデオカメラの前面内部に設けられたプリント基板１２１を示す前面側から見た斜視図である。図６は、図５に示されたプリント基板１２１の後面側から見た斜視図である。
【０００５】
プリント基板１２１に配置されたＩＲセンサ１２４およびリモートコントローラセンサ１２５は、図４に示す受信部１１３を構成する。ステレオマイクロフォン１２３は、音声受信部１１４を構成する。フラッシュランプ１２２およびキャパシタ１２６は、発光部１１１を構成する。
【０００６】
フラッシュランプ１２２は、プリント基板１２１に直接実装されている（例えば特許文献１参照）。図７は、図５に示すプリント基板１２１などのＢ−Ｂ断面を示す断面図である。プリント基板１２１のフラッシュランプ１２２が実装された反対の面（以下、裏面と称す）に、キャパシタホルダー１２７に保持されたキャパシタ１２６が配置されている。キャパシタ１２６は、フラッシュランプ１２２が発光する際の電力を供給する。
【０００７】
図７に示すように、プリント基板１２１のフラッシュランプ１２２が配置された面（以下、表面と称す）には、構成部品の中でフラッシュランプ１２２の実装高さが最も高くなるように、キャパシタ１２６とフラッシュランプ１２２との接続やフラッシュランプ１２２の発光を制御する電子素子が実装されている。ここで、実装高さとは、電子素子が実装されている基板面から電子素子の高さである。この構成により、ビデオカメラのフロントケース１１５を内側がフラッシュランプ１２２の上面と接して配置した場合、フロントケース１１５を平坦あるいは発光部１１１を凸状に形成することができる。
【０００８】
これに対し、プリント基板１２１の表面にフラッシュランプ１２２より実装高さが高いキャパシタ１２６を配置した場合には、以下に述べるような問題が生じる。つまり、プリント基板１２１の表面にキャパシタ１２６を配置すると、フラッシュランプ１２２とフロントケース１１５に空間が生じ、フラッシュランプ１２２が発した光がフロントケース１１５により遮断されるため、被写体に均一な光が届かず、ケラレと通称される陰が生じる。
【０００９】
また、フラッシュランプ１２２とフロントケース１１５を接するようにフロントケース１１５を形成するためには、部品の設置高さに応じてフロントケース１１５に、発光部１１１の近傍にキャパシタの形状による凸部が形成されなければならない。この状態において発光部１１１が発光すると、光の一部が凸部に遮断され、被写体にケラレが生じ、撮影画像の質を著しく悪化させる。これに対して、上述のように、キャパシタ１２６をプリント基板１２１の裏面に配置すればこの問題は生じない。
【特許文献１】特開平１１−２１８８０７号公報
【発明の開示】
【発明が解決しようとする課題】
【００１０】
近年、ビデオカメラの小型化の要請がますます高まっている。小型化するための構成としては、上記従来例のビデオカメラにおいて側面後部に配置された入出力端子部１１６を側面前部に設け、入出力端子部１１６を構成する入出力端子および当該入出力端子への信号を変換する回路部品等の電子素子をプリント基板１２１に配置することが考えられる。また、プリント基板１２１の裏面に配置されたキャパシタ１２６を表面に配置することも考えられる。
【００１１】
しかし、入出力端子部１１６をプリント基板１２１に配置するには、前述の電子素子を実装するスペースが必要であり、プリント基板１２１の面積が広くなり、ビデオカメラが大型化する。また、キャパシタ１２６を表面に実装する構成では、フラッシュランプ１２２より実装高さが高い電子素子（すなわちキャパシタ１２６）がプリント基板１２１に実装されることになり、フロントケース１１５に設ける凸部により、ケラレが発生するという問題がある。なお、キャパシタ１２６をフラッシュランプ１２２に関してレンズ部１１２の反対側に備える構成ではケラレは発生しないが、ビデオカメラが大型化する課題がある。
【００１２】
本発明は、プリント基板に実装した発光素子の有効な発光を実現でき、発光素子を駆動する多数の電子素子を実装できる発光ユニットを提供することを目的とする。
【課題を解決するための手段】
【００１３】
上記課題を解決するために、本発明の発光ユニットは、基板と、前記基板上に設けられた支持体とを備え、前記支持体は、前記基板側と反対向きに発光する発光素子を保持する発光素子保持部および、前記基板との間に空間を形成する脚部を有することを特徴とする。
【発明の効果】
【００１４】
本発明によれば、プリント基板に発光素子および当該発光素子を駆動する多数の電子素子を実装することができる小型の発光ユニットを提供することができる。
【発明を実施するための最良の形態】
【００１５】
本発明の発光ユニットにおいて、前記支持体が設けられた面の前記支持体の投影面における前記基板上に、電子素子を実装した構成にすることもできる。この構成により、電子素子の実装領域を増やすことができ、プリント基板上に当該発光素子を駆動する電子素子の実装効率を向上することができる。
【００１６】
また、前記発光方向における実装高さが前記発光素子より高い第１電子素子を前記基板上に実装した構成にすることもできる。
【００１７】
また、前記支持体は、前記第１電子素子を保持する第１電子素子保持部を備え、前記発光素子保持部に保持された前記発光素子の基板面からの高さが、前記第１電子素子の基板面からの高さ以上の構成にすることもできる。
【００１８】
また、前記第１電子素子は、前記発光素子に発光電圧を供給する電圧供給手段である構成にすることもできる。
【００１９】
また、上述の何れかの発光ユニットを備える電子機器において、前記発光素子保持部の前記基板上の投影面内に、外部から信号を入出力する端子素子が形成された構成にすることもできる。この構成により、電子機器に対して信号を入出力する端子素子を発光ユニット近傍に実装することができると共に、当該端子素子を介して電子機器に対する信号変換する電子素子も実装することができ、以て電子機器を小型化することができる。
【００２０】
以下、本発明の発光ユニットの実施の形態について、背景技術と同様にビデオカメラを例に図面を参照しながら説明する。
【００２１】
図１は、本実施の形態に係るフラッシュランプ（発光素子）を備えたビデオカメラの前面を示す斜視図である。ビデオカメラの前面には、フロントケース５およびレンズ部２が設けられている。フロントケース５には、レンズ部２の横に発光部１が配置され、発光部１の下に受信部３が配置され、レンズ部２の下に音声受信部４が配置されている。また、ビデオカメラの側面前方には、記録された画像データの入出力を行う端子、音声出力用端子などで構成された入出力端子部６が設けられている。
【００２２】
図２Ａは、図１に示すビデオカメラの前面内部に設けられたプリント基板１１（基板）を示すフロントケース５側から見た斜視図である。図２Ｂは、図２Ａのプリント基板１１上に配置された一部の部品を示す分解斜視図である。図３は、図２Ａに示すプリント基板１１などのＡ−Ａ断面構成を示す断面図である。
【００２３】
フラッシュランプホルダー１２（支持体）は、プリント基板１１に固定された脚部２１と、フラッシュランプ１３を保持する載置部（発光素子保持部）２２と、キャパシタ１４（第１電子素子）を固定するキャパシタ保持部２３（第１電子素子保持部）を備えている。フラッシュランプホルダー１２として、脚部２１、載置部２２およびキャパシタ保持部２３を一体形成することにより、従来のビデオカメラに対して部品点数の増加を防ぐことができる。フラッシュランプホルダー１２および載置部２２は、フラッシュランプ１３の制御等を行う電子回路部品等の電子素子と絶縁されるように樹脂などの絶縁体が含まれる必要があり、一般的に絶縁樹脂で構成される。
【００２４】
脚部２１は爪２１ａを有し、プリント基板１１に爪２１ａを係合させることにより、フラッシュランプホルダー１２はプリント基板１１に固定されている。なお、脚部２１とプリント基板１１の接続形態は、これに限定されず、例えば螺子の螺合等であっても良い。載置部２２には、フラッシュランプ１３（発光素子）が配置されている。また、載置部２２には、後述するＩＲセンサ１７、リモートコントロールセンサ１８などの電子素子も配置されている。
【００２５】
図１に示す発光部１は、フラッシュランプ１３およびキャパシタ１４などで形成される。フラッシュランプ１３は、発光方向がプリント基板１１に立設した脚部２１を備える方向（プリント基板１１からフラッシュランプ１３の向き）であり、瞬間的に大光量の光を発する。キャパシタ保持部２３は、キャパシタ１４の形状に応じて成型され、キャパシタ１４を安定させて保持する。キャパシタ１４は、フラッシュランプ１３が発光する際の電力を供給する。フラッシュランプ１３を発光させるためのキャパシタ１４としては、安価で体積当たりの容量が大きいことから小型アルミ電解キャパシタが一般的に用いられる。しかし、フラッシュランプ１３を発光させるための容量を有するには、ある程度の体積が必要で、特に近年連続発光等フラッシュランプ１３の発光間隔の短縮に対する要請等が相俟って大型化の傾向がある。従って、キャパシタ１４は、本実施の形態のプリント基板１１および載置部２２上に配置された各種電子素子のうち、実装高さが最も高い電子素子となる。
【００２６】
入出力端子部６を構成する端子１５、１６は、それぞれＡＶマルチジャック、ＭＩＣ／ＲＥＭＯＴＥジャックであり、プリント基板１１に配置されている。端子１５（ＡＶマルチジャック）は、撮影された動画像あるいは静止画像のデータを出力するために用いられる。端子１６（ＭＩＣ／ＲＥＭＯＴＥジャック）は、マイクロフォン（図示せず）からの音声信号あるいは有線のリモートコントローラ（図示せず）からの制御信号を入力するために用いられる。なお、端子１５、１６は、これらの端子に限定されず、動画像および静止画像を伝送するためのＵＳＢジャックあるいはＤＶジャックであってもよい。
【００２７】
受信部３は、ＩＲセンサ１７およびリモートコントロールセンサ１８などで構成されている。ＩＲセンサ１７は、載置部２２に配置されている。ＩＲセンサ１７は、被写体およびその周辺からの赤外線を受信する。受信された赤外線は、ビデオカメラの内部（図示せず）で信号処理され、被写体の撮影環境が検出される。検出された撮影環境に応じて、シャッタースピードの設定などの撮影動作環境の設定および撮影されたデータの色補正などのデータ処理の設定が行われる。
【００２８】
リモートコントロールセンサ１８は、載置部２２に配置されている。リモートコントロールセンサ１８は、無線のリモートコントローラ（図示せず）から発せられた制御信号（制御指令）を受信する。制御信号の伝達には例えば赤外線が用いられる。リモートコントロールセンサ１８が制御信号を受信して、ビデオカメラの内部で制御指令が実行されることにより、撮影者がビデオカメラを遠隔操作することができる。
【００２９】
図２に示す音声受信部４を構成するマイクロフォン１９は、プリント基板１１に配置され、ビデオ撮影時に音声を受信し、電圧に変換する。電圧に変換された音声信号は、ビデオカメラの内部の記録媒体に保存される。
【００３０】
フラッシュランプホルダー１２の載置部２２にフラッシュランプ１３が配置されている。フラッシュランプ１３の発光面（上端面）の基板面からの高さは、キャパシタ保持部２３に保持されたキャパシタ１４の基板面からの高さと同じ程度である。ここで、基板面からの高さとは、実装された電子素子のプリント基板１１面からの高さである。
【００３１】
載置部２２の下のプリント基板１１に、フラッシュランプ１３を駆動する駆動回路２０が配置されている。この配置により、駆動回路２０からフラッシュランプ１３およびキャパシタ１４への配線を短くすることができると共に、例えば図５に示したプリント基板１２１よりも小型化できる。また、載置部２２上と載置部２２の下のプリント基板１１上の２段に電子素子を配置することができ、電子素子の配置可能数を増加させることができる。
【００３２】
また、載置部２２の下のプリント基板１１には、駆動素子以外に、端子１６の延在部が配置されている。なお、図３では図示していないが、端子１５の基板１１に対する配置高さもほぼ載置部２２の配置高さ程度である。端子１５、１６には、テレビジョンやマイクロフォンなどの外部機器と接続するコード端子が挿入される。端子１５、１６には、コード端子が挿入される際に、大きな力が加わるため、載置部２２より安定したプリント基板１１に配置される。また、端子１５、１６は、側面または上端にフラッシュランプホルダー１２を係合または載置することにより、フラッシュランプホルダー１２のプリント基板１１に対する固定、および端子１５、１６のプリント基板１１に対する固定安定性を補助する固定補助体として用いることができる。端子１５、１６をこのように配置することで、端子１５、１６を含めた電子素子の位置を安定することができる。
【００３３】
載置部２２には、フラッシュランプ１３以外にも電子素子が配置されている。特に、ＩＲセンサ１７、リモートコントロールセンサ１８は、外部からの赤外線を受信するために、プリント基板１１上に配置される。また、載置部２２により赤外線が遮断されるので、ＩＲセンサ１７、リモートコントロールセンサ１８の駆動回路は、赤外線によるノイズの影響を抑制するために、載置部２２の投影面上のプリント基板１１上に実装されることが好ましい。なお、ＩＲセンサ１７、リモートコントロールセンサ１８が配置された箇所に対応するフロントケース（受信部３）５には、赤外線を透過するセンサ窓が設けられている。
【００３４】
以上のように本実施の形態に係る発光ユニットは、フラッシュランプ１３を保持するフラッシュランプホルダー１２をプリント基板１１上に設ける構成により、実装高さが高いキャパシタ１４等の電子素子をフラッシュランプ１３の発光方向に実装しても、フラッシュランプホルダー１２の載置部２２にフラッシュランプ１３を配置することにより、キャパシタ１４などの実装高さが最も高い電子素子の実装高さに、フラッシュランプ１３の基板面からの高さを合わせることができる。従って、凸部を設けることなくフロントケース５を形成することができ、ケラレの発生を防ぐことができる。
【００３５】
また、フラッシュランプ１３の駆動回路２０を配置したプリント基板１１上方の載置部２２にフラッシュランプ１３を配置することにより、配線を短くすることができると共に、発光ユニットを小型化することができる。
【００３６】
また、フラッシュランプホルダー１２にもフラッシュランプ１３を駆動する駆動回路の電子素子等を実装する構成を採用すると、電子素子の実装面積を増加させることができ、例えば入出力端子部６を構成する入出力端子およびこの入出力端子をビデオカメラに対する信号に変換する電子素子を、載置部２２を含むプリント基板１１上に設け、ビデオカメラを小型化することができる。
【００３７】
また、本実施の形態ではキャパシタ１４を電圧供給手段の例として説明したが、例えばリチウムイオン等の２次電池であっても適用することができ、第１の電子素子としては、電圧供給手段の他に、発光素子および／または電子機器を制御する制御回路の電子素子であっても良い。
【００３８】
なお、本実施の形態においては、フロントケース５がデザイン性に優れる高品位な平面を形成する場合について説明したが、発光部１が凸状に形成された構成であっても、上述した効果を得ることができる。
【００３９】
また、本実施の形態においては、ビデオカメラの発光ユニットについて説明したが、本発明は、ビデオカメラに限定されず、スチルカメラなど発光素子を有する電子機器に用いることもできる。
【産業上の利用可能性】
【００４０】
本発明の発光ユニットは、電子素子の高実装性と発光特性とを両立できるため、発光素子を備える電子機器の分野において広く利用可能である。
【図面の簡単な説明】
【００４１】
【図１】本発明の実施の形態に係るビデオカメラを示す斜視図
【図２Ａ】本発明の実施の形態に係る発光ユニットの構成を示す斜視図
【図２Ｂ】同上発光ユニットの構成を示す分解斜視図
【図３】同上発光ユニットのＡ−Ａ断面における断面図
【図４】従来のビデオカメラを示す斜視図
【図５】従来の発光ユニットの構成を示す前面からの斜視図
【図６】同上発光ユニットの構成を示す後面からの斜視図
【図７】同上発光ユニットのＢ−Ｂ断面における断面図
【符号の説明】
【００４２】
１  発光部
２  レンズ部
３  受信部
４  音声受信部
５  フロントケース
１１  プリント基板
１２  フラッシュランプホルダー
１３  フラッシュランプ
１４  キャパシタ
１５、１６  端子
１７  ＩＲセンサ
１８  リモートコントロールセンサ
１９  マイクロフォン
２０  駆動回路
２１  脚部
２２  載置部
２３  キャパシタ保持部
【図１】
2007178898.tif 000003
【図２Ａ】
2007178898.tif 000004
【図２Ｂ】
2007178898.tif 000005
【図３】
2007178898.tif 000006
【図４】
2007178898.tif 000007
【図５】
2007178898.tif 000008
【図６】
2007178898.tif 000009
【図７】
2007178898.tif 000010